(57)【特許請求の範囲】
【請求項１】
車両のドア外側の所定位置に配置され、前記ドアの開閉が行われる際に操作される把持部と、
該把持部とは一体的に型成形され、前記車両のドアのドアロック機構にリンクする一対のレバー部と、
前記把持部を前記車両のドアに装着するために、一対の前記レバー部の外側に配置されて該レバー部と一体的に組み付けられたベース部材と、
前記把持部を前記ベース部材に回転可能に固定するための軸部材と、を備え、
前記ベース部材と前記レバー部とには、前記軸部材が挿入されるベース孔とレバー孔とが形成されており、
前記一対のレバー部において、一方のレバー孔にのぞませた他方のレバー孔の縁部には、その内側に前記レバー孔が延設されるように突出する突出部が形成され、その突出部の端面に前記軸部材の挿入をガイドするための挿入導入部が形成され、
前記挿入導入部は、前記軸部材の軸線方向から見たときに周方向の一部に形成され、前記レバー孔の径よりも前記軸部材の基端部側へ行くに連れて径が拡大する拡径部と、前記拡径部と接続し、前記突出部の側壁に達するとともに、前記挿入導入部が型成形されるとき、成形型を抜き取るための切欠部と、を備えることを特徴とする車両用ドアハンドル。
【請求項２】
前記レバー部と前記ベース部材との間に介在し、前記把持部を操作した場合に前記ベース部材に対し当該把持部を元の状態へ戻す方向へと付勢する弾性部材を備え、この弾性部材の一端が前記突出部に係止されている請求項１に記載の車両用ドアハンドル。
【発明の詳細な説明】
【技術分野】
【０００１】
本発明は、車両用ドアハンドルに関する。
【背景技術】
【０００２】
車両のドアには、そのドアを開閉するために、種々の態様の車両用ドアハンドルが備え付けられている。例えば、ドアを開ける際に、フラップ式のハンドル本体を引き起こすと、そのドアが備えるドアロック機構が解除され、そのままハンドル本体を引くことによりドアを開けることができる車両用ドアハンドルが知られている。
【０００３】
図６に示すように、従来の車両用ドアハンドル１００は、車両のドアの所定位置に配置され、ドアの開閉が行われる際に操作される把持部１０２と、その把持部１０２と一体的に形成された一対のレバー部１０３とを有するハンドル本体１０１と、そのハンドル本体１０１をドアアウタパネル等に装着するためのベース部材１０４と、ハンドル本体１０１をベース部材１０４に回転可能に固定する軸部材１０５と、ハンドル本体１０１（把持部１０２）が操作された際にそのハンドル本体１０１を元の状態へ戻す方向に付勢するトーションスプリング等からなる弾性部材１０６とを備え、組み立てられている。
【０００４】
また、図７は、車両用ドアハンドル１００の組立作業の一部を説明する図であり、図７に示すように、一対のレバー部１０３及びベース部材１０４には、軸部材１０５が挿入される挿入孔１０７，１０８（以下、レバー部挿入孔をレバー孔１０７、ベース部材挿入孔をベース孔１０８という）が形成されている。そして、この軸部材１０５の挿入作業は、レバー孔１０７とベース孔１０８との位置が一致した状態で、レバー部材１０３の外側にベース部材１０４を配置させ、軸部材１０５の先端を一方のベース孔１０８から挿入し、他方側へ突き抜けるように押し込むことによって行われるものである。ここで、レバー孔及びベース孔において、軸部材１０５が先に挿入される（軸部材１０５の基端部側）挿入孔をそれぞれレバー孔１０７ａ、ベース孔１０８ａとし、後に挿入される（軸部材１０５の先端部側）挿入孔をレバー孔１０７ｂ、ベース孔１０８ｂとする。
【発明の開示】
【発明が解決しようとする課題】
【０００５】
しかしながら、図７に示すように、軸部材１０５の挿入作業は、ベース孔１０８ａ及びレバー孔１０７ａに挿通後、他方のレバー孔１０７ｂに挿入する際に、レバー孔１０７ａから長い距離を隔てて行わなければならない。また、作業上レバー孔１０７ｂを視認して挿入作業を行うことができない場合もあり、軸部材１０５の先端がレバー孔１０７ｂの開口から少しでもずれるとレバー孔１０７ｂの縁部に引っ掛かってしまうため、レバー孔１０７ｂに挿入することができず、そこから挿入孔を探して位置を調整しレバー孔１０７ｂに挿入することとなり作業の効率を低下させるという問題があった。
【０００６】
図６に戻り、一般に車両用ドアハンドルに使用される弾性部材（トーションスプリング）は横方向慣性力に対して大きな抵抗力を持たせるために、バネ定数の高いものが使用されており、この弾性部材１０６の両端から延設される脚部の一方が、軸部材１０５に係止されている。これは、軸部材１０５の挿入作業の際に、レバー孔１０７ａに挿通後、弾性部材１０６の脚部を係止するとともに他方のレバー孔１０７ｂに軸部材１０５を挿入するため、弾性部材１０６のテンションが軸部材１０５の先端に作用して、軸部材１０５の先端が安定せずレバー孔１０７ｂへの挿入が困難となり、作業の効率をさらに低下させるという問題があった。これを解消するために、弾性部材１０６を引っ張り等する専用の工具を使用して、挿入した軸部材１０５に後で脚部を係止させることも考えられるが、製造コストが高くなるという課題が新たに生じてしまう等の問題があった。また、弾性部材１０６の一方の脚部が軸部材１０５に係止されているため、車両用ドアハンドル１００を操作したときに、その脚部と軸部材１０５とが擦れ合って異音を発生し、また錆を発生する等の恐れがあった。
【０００７】
本発明の課題は、上記実情に鑑みてなされたものであり、ベース部材をハンドル本体に組み付けるときに、ベース部材に回転可能に固定する軸部材を各挿入孔に挿入する場合に、簡単に挿入できる組立作業の効率の優れた車両用ドアハンドルを提供することにある。
【課題を解決するための手段及び効果】
【０００８】
上記課題を解決するために、本発明の車両用ドアハンドルは、
車両のドア外側の所定位置に配置され、前記ドアの開閉が行われる際に操作される把持部と、
該把持部とは一体的に型成形され、前記車両のドアのドアロック機構にリンクする一対のレバー部と、
前記把持部を前記車両のドアに装着するために、一対の前記レバー部の外側に配置されて該レバー部と一体的に組み付けられたベース部材と、
前記把持部を前記ベース部材に回転可能に固定するための軸部材と、を備え、
前記ベース部材と前記レバー部とには、前記軸部材が挿入されるベース孔とレバー孔とが形成されており、
前記一対のレバー部において、一方のレバー孔にのぞませた他方のレバー孔の縁部には、その内側に前記レバー孔が延設されるように突出する突出部が形成され、その突出部の端面に前記軸部材の挿入をガイドするための挿入導入部が形成され、
前記挿入導入部は、前記軸部材の軸線方向から見たときに周方向の一部に形成され、前記レバー孔の径よりも前記軸部材の基端部側へ行くに連れて径が拡大する拡径部と、前記拡径部と接続し、前記突出部の側壁に達するとともに、前記挿入導入部が型成形されるとき、成形型を抜き取るための切欠部と、を備えることを特徴とする。
【０００９】
上記本発明によれば、一方のレバー孔にのぞませた他方のレバー孔の縁部に、レバー孔よりも大きく拡開した挿入誘導部が形成されているので、例えば一方のレバー孔を挿通した後、他方のレバー孔に挿入する時に軸部材が傾きその先端が挿入孔に対しずれたとしても、他方のレバー孔から拡開した挿入誘導部が形成されているので、軸部材をそのまま押し込むだけで、その挿入誘導部により軸部材の先端がレバー孔に誘導されるので、容易に軸部材を車両用ドアハンドルに組み付けることができる。またその際に、例えば弾性部材の脚部を係止するとともに、他方のレバー孔に挿入する場合にも、その弾性部材のテンションが軸部材の先端に作用して先端が安定せず、ずれた場合でも容易に軸部材を車両用ドアハンドルに組み付けることができる。よって、作業の効率をよくすることができる。
【００１０】
また、本発明の車両用ドアハンドルは、一方のレバー孔にのぞませた他方のレバー孔の縁部に、連続的または断続的に、またその断面が直線的または曲線的に軸部材の基端部側へ行くに連れて径が拡大する拡径部が備えられていることにより、軸部材を挿入したときに、該軸部材の先端がレバー孔からずれてしまった場合でも、その先端は拡径部に当接するので、さらに軸部材を軸線方向に押し込むことで、その先端部は拡径部に沿ってレバー孔へと誘導され簡単に軸部材をレバー孔に挿入することができる。これにより、軸部材をレバー孔に戸惑うことなく確実に挿入することができ、組立作業の効率を良くすることができる。
【００１１】
また、本発明の車両用ドアハンドルは、挿入誘導部を一方のレバー孔にのぞませた他方のレバー孔の縁部の周方向の一部に形成されることにより、ハンドル本体を成形する際に、この挿入誘導部の間で金型を分割する型構成とすることができるので、特別な金型を用いることなく成形することができ、また特別な工程を行うことなく成形することができるので、製造コストを抑えることができる。且つ、所望する位置に挿入誘導部を形成することができるので、軸部材を挿入する際に、軸部材を意図的に挿入誘導部に当接するように押し込むことで、その挿入誘導部に軸部材の先端がレバー孔に誘導され、確実に軸部材をレバー孔に挿入することができる。
【００１２】
また、本発明の車両用ドアハンドルは、突出部の端面に挿入誘導部が形成されているので、換言すれば、端面にレバー孔の開口が形成されているので、一方のレバー孔から突出部で形成される他方のレバー孔との間隔が短くなり、軸部材のレバー孔への挿入に際してのずれ幅を抑えることができる。よって、そのずれ幅を抑えることができるので、例え軸部材がずれた場合でも、より確実に挿入誘導部で軸部材の先端を受け止めることができ、ひいてはレバー孔に誘導して挿入させることができる。
【００１３】
また、本発明の車両用ドアハンドルは、
前記レバー部と前記ベース部材との間に介在し、前記把持部を操作した場合に前記ベース部材に対し当該把持部を元の状態へ戻す方向へと付勢する弾性部材を備え、この弾性部材の一端が前記突出部に係止された構成とすることができる。このように、弾性部材の一端が突出部に係止されるので、従来の車両用ドアハンドルのように軸部材に弾性部材の端部を係止させないので、軸部材を挿入する際に、端部を係止させるという工程を省略することができ、またその端部を軸部材に係止させる専用の工具を必要としないので、組立作業の効率を優れたものとすることができ、製造コストを抑えることができる。また、軸部材に弾性部材の端部を係止させないので車両用ドアハンドルを操作したときに、その脚部と軸部材とが擦れ合うことがないため異音の発生を防止することができ、また錆の発生を防止することができる。
【発明を実施するための最良の形態】
【００１４】
以下、本発明の実施の形態を、図面を用いて説明する。本実施例は、主として自動車（車両）のドアに用いる車両用ドアハンドルについて例示しているが、本発明はこれらに限定されるものではなく、特許請求の範囲の趣旨を逸脱しない限りにおいて、当業者の知識に基づく種々の変更が可能である。
【００１５】
図１は、本発明の一実施形態に係る車両用ドアハンドルの斜視図及び拡大図、図２は、図１における車両用ドアハンドルの底面図、図３は、図１における車両用ドアハンドルの分解図である。車両用ドアハンドル１は、図１，２に示すように、例えば車両のドアの所定位置に配置され、ドアの開閉が行われる際に操作される把持部２と、その把持部２と一体的に形成された一対のレバー部３とを有するハンドル本体１０と、そのハンドル本体１０を図示しないドアアウタパネル等に装着するためのベース部材４と、ハンドル本体１０をベース部材４に回転可能に固定する軸部材５とを備えている。
【００１６】
また、図３に示すように、ベース部材４には、ハンドル本体１０が操作された際にそのハンドル本体１０を元の状態へ戻す方向に付勢するトーションスプリング等からなる弾性部材６と、その弾性部材６の一端が係止され図示しないドアロック機構にリンクするベルクランク７と、ハンドル本体１０を操作した時に元の状態に復帰した時の衝突を緩衝する緩衝部材８とが組み付けられ、ハンドル本体１０には、レバー部３の端部に弾性部材６とのバランスのために設けられたカウンタウエイト９が組み付けられている。
【００１７】
図４は、ハンドル本体を示す底面側斜視図及び要部拡大図，要部拡大平面図である。図４（ａ）に示すように、ハンドル本体１０は、把持部２とレバー部３とが例えばプラスチック材にて一体的に成形されており、把持部２の裏側（底面側）には、例えば操作者の手（指）等が掛けられる手掛け部２１が設けられ、その内側に、把持部２を操作した時に、ドアアウタパネルとの間に生じる隙間を手掛け部２１の縁部より目視されることを防止する覆部２２が形成されている。また、その覆部２２の内側（裏側）には、覆部２２を補強するリブ部２３が形成されている。これにより、例えば、車両用ドアハンドル１を横方向（左右方向に引いて開ける）に配置した場合にも、ドアアウタパネルとの間に生じる隙間を隠すことができ、よりスマートな車両用ドアハンドルとすることができる。ハンドル本体１０を形成するプラスチック材としては、ポリカーボネート系樹脂、ポリブチレンテレフタレート系樹脂、ナイロン系樹脂、ノリル系樹脂等を使用することができ、これらを単一で使用してもよいし、異なる種類のものを複数使用してもよい。
【００１８】
一対のレバー部３は、軸部材５が先に挿入される側（軸部材５の基端部側）のレバー部３ａにレバー部挿入孔３１ａ（以下、単にレバー孔ともいう）が形成され、軸部材５が後に挿入される側（軸部材５の先端部側）のレバー部３ｂにはレバー孔３１ａと対応する位置にレバー部挿入孔３１ｂが形成されている。また、レバー部３ａ，３ｂとを連結する連結部３２が形成され、平面視略Ｕ字形状を呈す（図３参照）。そして、レバー部３ａの把持部２と反対側の端部には、レバー部３１ｂに対して延出する延出部３３が形成され、その延出部３３の端部にはカウンタウエイト９を取り付けるための取付穴３３ａが形成されている。本実施例では、一対のレバー部３の両方が延出してカウンタウエイト９の両側を挟みこんで取り付ける構成をとっておらず、レバー部３の一方（本実施例ではレバー部３ａ）に延出部３３が設けられてカウンタウエイト９が取り付けられているため、他方のレバー部３（本実施例ではレバー部３ｂ）を延出した空間を有効的使用することができるので、所望するカウンタウエイト９の重量を得ることができ、ハンドル本体１０のバランスを図ることができる。また、カウンタウエイト９から突出して形成される雄部９ａを取付穴３３ａに挿通し、雌部材９ｂとを螺合もしくは、雌部材９ｂを介して雄部９ａをカシメ等で固定するだけで、簡単にカウンタウエイト９を取り付けることができる（図３参照）。また、レバー部３には、レバー部３の裏側（底面側）から突出する接触突部３６が形成され、車両用ドアハンドル１を組み立てたときに、この接触突部３６が後述する弾性部材６の作用によりベルクランク７の接触面部７１ａと接触（係合）される。ここで、接触突部３６は、一対のレバー部３ａ，３ｂにそれぞれ突出して形成され、どちらか一方にベルクランク７を係合させることにより、車両の左右どちらのドアにも対応できるようになっているが、一方のみに形成させてもよく、本実施例においては、レバー部３ｂに形成した接触突部３６がベルクランク７の接触面部７１ａと係合されている。
【００１９】
また、レバー部３ｂには、レバー孔３１ｂ内側の縁部（レバー部３ａと対向する面）に突出部３４が形成されている。図４（ｂ），（ｃ）に示すように、この突出部３４には、レバー部３の上面（表面）と同一面をなす側壁３４ｂが形成され、その側壁３４ｂに対向して横断面略円弧形状をなす側壁３４ｃが形成されている。また、突出部３４には、レバー孔３１ｂが延設した状態で端面３４ａに貫通して形成されている。また、突出部３４の端面３４ａには、軸部材５の挿入を容易にするための挿入誘導部３５が形成されている。挿入誘導部３５は、レバー孔３１ｂと連続的または断続的に形成され、軸部材５の基端部側へ行くにつれて径が拡大するテーパ形状を呈す拡径部３５ａで構成され、この拡径部３５ａが軸部材５の軸線方向から見たときにレバー孔３１ｂ周縁部の半周分（ハンドル本体１０の表側、図４（ｃ）上では上半分）に設けられている。また、その拡径部３５ａと対向する半周分には、切欠部３５ｂが形成され、その切欠部３５ｂの両側には拡径部３５ａのテーパ面と連続して傾斜する傾斜部３５ｃが設けられている。
【００２０】
このように、レバー孔３１ｂ内側の縁部（突出部３４の端面３４ａ）には、拡径部３５ａと、切欠部３５ｂ及び傾斜部３５ｃとが周方向に対して対向するように形成されているので、この突出部３４の間で容易に型開きすることができるため、特別な金型や中子を用いることなく容易に成形することができるため、製造コストを抑えることができる。また、後述するが軸部材５をレバー孔３１ｂに挿入する際に、軸部材５の先端が拡径部３５ａに当接した場合には、そのテーパ面に沿ってレバー孔３１ｂへと誘導され、また切欠部３５ｂに軸部材３５の先端が当接した場合には、傾斜部３５ｃがガイドとなりレバー孔３１ｂへ簡単に挿入することができる。
【００２１】
なお、拡径部３５ａ（挿入誘導部３５）は、特別な金型や中子を用いて、レバー孔３１ｂの周縁部を３６０度すべて取り囲むように形成してもよい。この場合には、軸線方向から見て周方向全てテーパ形状を呈しているので、そのテーパ面に沿って軸部材５の先端が誘導されるので、より確実に軸部材の先端が引っ掛かることなく、簡単に挿入することができる。また、所定の周方向の一部に拡径部３５ａを形成してもよい。この場合には、例えば後述する弾性部材６の第１脚部６２ａの係止により軸部材５がずれる方向にのみ拡径部３５ａ（挿入誘導部３５）を形成することにより、軸部材５の先端が誘導されるので簡単に挿入することができる。
【００２２】
図１〜３に戻り、ベース部材４には、一対のレバー部３の外側に配置されるベース枠部４１が設けられ、そのベース枠部４１の下側一部に弾性部材６及びベルクランク７が取り付けられる取付板部４２が形成され、ベース枠部４１の上側には緩衝部材８が取り付けられるボス部材や締結部材等からなる取付部４３が形成されている（ここで、ベース部材４において、把持部２が位置する側を上側、反対側を下側とする（図１参照））。
【００２３】
ベース枠部４１は、枠形状をなしレバー部３の外側に配置された時にレバー孔３１に対応する位置にベース部材挿入孔４１ａ，４１ｂ（以下、単にベース孔ともいう）が形成されている。ここで、ベース孔４１ａ，４１ｂは軸部材５が先に挿入される側（軸部材５の基端部側）をベース孔４１ａとし、軸部材５が後に挿入される側（軸部材５の先端部側）のベース４１ｂとする。取付板部４２には、板厚方向に貫通する貫通孔４２ａが形成され、また、緩衝部材８を支持する支持部４２ｂが設けられている。取付部４３は、ベース枠部４１の支持部４２ｂが位置する両側に一対設けられ、緩衝部材８が組み付けられている。貫通孔４２ａを介して取り付けられる弾性部材６は、例えばトーションスプリングが用いられ、コイル部６１とそのコイル部６１の両端から延設された第１脚部６２ａと第２脚部６２ｂ（以下、単に脚部６２と略すときもある）とで構成され、コイル部６１にコイルホルダ６３が挿通され、このコイルホルダ６３を取付板部４２に固定することにより、弾性部材６は保持されている。また、取付板部４２の裏側に貫通孔４２ａを介して取り付けられるベルクランク７は、第一腕部７１と第２腕部７２とを備え、その２本の腕部の交点に軸穴７３が形成され、この軸穴７３をワッシャ７４ａ，７４ｂで挟んだ状態で、弾性部材６を取付板部４２に保持したコイルホルダ６３の先端が挿通され、その先端部が例えばカシメられて軸穴７３を回転中心に回転可能に固定されている。
【００２４】
図２に示すように、弾性部材６の第１脚部６２ａは、レバー部３の突出部３４に係止され、第２脚部６２ｂはベルクランク７の第２腕部７２に係止されて、ベルクランク７は弾性部材６により矢印Ｐ方向に常時付勢されている。また、ベルクランク７の第１腕部７１には、弾性部材６の付勢力によりレバー部３の接触突部３６に常時当接する接触面部７１ａが備えられ、第２腕部７２には、ドアロック機構にリンクしてドアの解施錠を行うロッドを連結するロッド連結具７５を取り付ける取付穴７２ａが形成されている。
【００２５】
これにより、車両用ドアハンドル１は、通常時（ハンドル本体１０が操作されていない状態）には、弾性部材６のバネ力（弾性力）により、ベルクランク７が矢印Ｐ方向に常時付勢されており、それに伴いレバー部３の接触突部３６が接触面部７１ａに付勢されるので、ハンドル本体１０は軸部材５を回転中心としてベース部材４に通常状態（把持部２が引き起されていない状態）で保持されている。ハンドル本体１０が操作されると、レバー部３の接触突部３６の作用によってベルクランク７が弾性部材６のバネ力に抗して矢印Ｐ方向と逆向き方向に回転させられ、第２腕部７２に連結される図示しないドアロック機構にリンクしてドアの解錠が行われる。また、ハンドル本体１０の開操作が終わると、弾性部材６のバネ力によりベルクランク７を介してレバー部３が押し戻され、ハンドル本体１０は元の状態（通常状態）へと復帰する。このように、ハンドル本体１０の運動（操作）に連動して、弾性部材６及びベルクランク７を介してドアロック機構が作動するようになっている。
【００２６】
軸部材５は、レバー孔３１及びベース孔４１ａ，４１ｂの径より少し小さい軸径で形成され、基端部には挿入を規制するストッパ部５１が設けられとともに、先端部には挿入後に軸部材５本体を固定するためのカシメ部５２が設けられている。
【００２７】
次に、以上のとおり構成された車両用ドアハンドルの組み立て工程について説明する。図５は、本発明の一実施形態における車両用ドアハンドル１の組立作業の一部を説明する図である。車両用ドアハンドル１の組立作業は、まず、ハンドル本体１０にカウンタウエイト９を組み付け、ベース部材４には、弾性部材６と、ベルクランク７と、緩衝部材８とをそれぞれ所定位置に組み付ける。そして、そのハンドル本体１０とベース部材４とを、レバー部３に形成されたレバー孔３１ａ，３１ｂとベース枠部４１に形成されたベース孔４１ａ，４１ｂとの位置が一致する状態にハンドル本体１０のレバー部３の外側にベース部材４のベース枠部４１を配置する。換言すれば、ハンドル本体１０（レバー部３）をベース部材４（ベース枠部４１）の内側に嵌め込む。
【００２８】
このとき、弾性部材６の第２脚部６２ｂは、ベルクランク７の第２腕部に係止した状態でベース部材４に組み付けられており、第１脚部６２ａは、ハンドル本体１０をベース部材４に嵌め込むと同時にレバー部３に形成された突出部３４に係止する（図１参照）。または、ハンドル本体１０の外側にベース部材４を配置した後に、第１脚部６２ａを突出部３４に係止するようにしてもよい。これにより、従来のように軸部材を挿入する際に、突出部３４のない時にはその軸部材に第１脚部を係止するとともに他方のレバー孔に軸部材を挿入する必要がないので（弾性部材のテンションが軸部材の先端に作用しないので）、安定して軸部材を他方のレバー孔に挿入することができるため、作業性に優れる。また、軸部材を挿通した後、専用の工具を用いて第１脚部を引っ張り軸部材に係止する必要がないので、製造コストも抑えることができる。さらには、軸部材に弾性部材の第１端部を係止させないので車両用ドアハンドルを操作したときに、その脚部と軸部材とが擦れ合うことがないため異音の発生を防止することができ、また錆の発生を防止することができる。
続いて、ハンドル本体１０をベース部材４に回転可能に固定するために軸部材５を組み付ける。この軸部材５の組付作業（挿入作業）は、図５（ａ）に示すように、一方のベース孔４１ａから挿入し、レバー孔３１ａ、レバー孔３１ｂ、ベース孔４１ｂへと順次挿通した後、先端をカシメなどして固定することにより行われ、車両用ドアハンドル１は組み立てられる。このとき、弾性部材６の第１脚部６２ａは、突出部３４に係止されているので、軸部材５に第１脚部６２ａを係止する必要がなく、簡単にレバー孔３１ｂに軸部材５を挿入することができる。また、突出部３４をなくすることもでき、その場合にはレバー部３ｂのレバー部３ａと対向する面上に挿入誘導部３５が形成されることとなる。この場合には、軸部材をレバー孔３１ｂに挿入する際に、弾性部材６の第１脚部６２ａが突出部３４に係止されていないので、軸部材５でこの第１脚部６２ａを係止するとともにレバー孔３１ｂに挿入することとなるが、挿入誘導部３５が形成されているので、軸部材５を容易に挿入することができる。さらには、その第１脚部６２ａの係止により軸部材５がずれる方向にのみ挿入誘導部３５を形成することにより、軸部材５をレバー孔３１ｂに容易に挿入することができる。
【００２９】
この軸部材の組立作業（挿入作業）について詳しく説明する。軸部材５の先端を一方のベース孔（本実施例では、ベース孔４１ａ）から挿入し、そのベース孔４１ａに連続して位置するレバー孔３１ａを挿通させる。このとき、ベース孔４１ａの開口縁部は、目視できるので容易に挿入することができる。次に、レバー孔３１ａから長い距離（所定距離）を隔てて設けられたレバー孔３１ｂに挿入し、そのレバー孔３１ｂに連続して位置するベース孔４１ｂを挿通させる。このとき、軸部材５の径は、各挿入孔の径よりも小さく形成されているため、また、レバー孔３１ｂは、レバー孔３１ａと長い距離隔てているので、図５（ｃ）に示すように、軸部材５の先端がレバー孔３１ｂに到達した時にずれてしまう場合があり、挿入誘導部３５に当接する。
【００３０】
さらにこの状態で軸部材５を軸線方向に押し込むと、軸部材５の先端が挿入誘導部３５に沿って、レバー孔３１ｂに誘導され、ベース孔４１ｂも挿通した後、軸部材の先端をカシメて軸部材を組み付けることができる。
【００３１】
また図５（ｂ）に示すように、誘導挿入部３５は、軸部材の基端部側に拡大するテーパ形状をなす拡径部３５ａが周方向の半周分に形成され、その拡径部３５ａに対向する位置には切欠部３５ｂとその両側に傾斜部３５ｃが形成されているので、切欠部３５ｂに軸部材の先端が当接した場合には、作業者は、レバー孔３１ｂの縁部のどの位置に拡径部３５ａ及び切欠部３５ｂが形成されているか、認識しているので、簡単にレバー孔３１ｂに挿入することができる。このとき傾斜部３５ｃは、切欠部３５ｂのレバー孔３１ｂへのガイドとなっている。
【００３２】
挿入誘導部３５は、前述したように拡径部３５ａが周方向に半周分のみ形成されているため、その突出部３４の間で容易に型開きを行うことができ、特別な金型や中子を必要とすることなく成形することができ、製造コストを抑えることができる。また、特別な金型や中子を用いて、拡径部３５ａを周方向に全周分に形成する場合には、どの方向に軸部材がずれた場合でも、挿入誘導部３５（拡径部３５ａ）のテーパ面に沿って誘導されるので、より確実に軸部材５を簡単に挿入することができる。
【００３３】
よって、レバー孔３ｂに設けられた突出部３４は、その端面３４ａに軸部材５挿入に際しての挿入誘導部３５を備え、またその周壁は弾性部材６の第１脚部６２ａの係止部として機能している。なお、挿入誘導部３５をレバー部３ｂの同一面上に形成した場合に、突出部を弾性部材６の第１脚部６２ａが係止される所定位置に形成してもよい。また、一端面に挿入誘導部を形成した別部品をレバー孔３ｂの縁部に取付してもよく、この場合は、金型の設計変更をする必要がなく、汎用性を持たせることができる。
【図面の簡単な説明】
【００３４】
【図１】本発明の一実施形態に係る車両用ドアハンドルの斜視図及び拡大図
【図２】図１における車両用ドアハンドルの底面図
【図３】図１における車両用ドアハンドルの分解図
【図４】ハンドル本体の底面側斜視図及び要部拡大図，要部拡大平面図
【図５】本発明の一実施形態に係る車両用ドアハンドルの組立説明図
【図６】従来の車両用ドアハンドルの斜視図及び拡大図
【図７】従来の車両用ドアハンドルの組立説明図
【符号の説明】
【００３５】
１    車両用ドアハンドル
２    把持部
３    レバー部
４    ベース部材
５    軸部材
６    弾性部材（トーションスプリング）
７    ベルクランク
８    緩衝部材
９    カウンタウエイト
１０  ハンドル本体
３４  突出部
３５  挿入誘導部
３５ａ  拡径部
【図１】
0004614447.tif 000002
【図２】
0004614447.tif 000003
【図３】
0004614447.tif 000004
【図４】
0004614447.tif 000005
【図５】
0004614447.tif 000006
【図６】
0004614447.tif 000007
【図７】
0004614447.tif 000008